(57)【要約】【課題】受信回路の回路規模を増大させることなく、受信系統の信号に混入しているノイズを適切に除去すること。【解決手段】立位姿勢で使用される携帯型ナビゲーション装置１において、筐体５の上部に、受信方向を外方方向に向けて第１のアンテナ２１が設けられている。また、第１のアンテナ２３の背面側に、受信方向を筐体５の内方方向に向けて第２のアンテナ２３が設けられている。そして、第２のアンテナ２３で受信されたノイズ信号をキャンセルするノイズキャンセル信号がノイズキャンセル信号生成部３９において生成され、第１のアンテナ２１で受信された信号に加算されることで、第１のアンテナ２１で受信された信号に混入されているノイズ信号がキャンセルされる。【選択図】図１
2009094670.tif 000002
【特許請求の範囲】
【請求項１】
内部に電子回路が配置された筐体の周部に、受信方向を外方方向に向けて設けられた第１のアンテナと、
前記第１のアンテナの背面側に、前記筐体の内方方向に受信方向を向けて設けられた第２のアンテナと、
前記第２のアンテナで受信された信号を前記筐体内部で発生したノイズ信号とみなして、前記第１のアンテナで受信された信号に混入されているノイズ信号をキャンセルするノイズキャンセル信号を生成するノイズキャンセル信号生成部と、
を備え、前記第１のアンテナで受信された信号に前記生成されたノイズキャンセル信号を加算して、前記ノイズ信号をキャンセルする受信装置。
【請求項２】
前記第２のアンテナは、前記第１のアンテナの受信帯域と同一の受信帯域の信号を受信可能な受信特性を有する請求項１に記載の受信装置。
【請求項３】
前記第１のアンテナと前記第２のアンテナとは、同一のアンテナでなる請求項１又は２に記載の受信装置。
【請求項４】
前記第１のアンテナは平面アンテナであり、面方向が前記筐体の周面に沿って配置されている請求項１〜３の何れか一項に記載の受信装置。
【請求項５】
前記第１のアンテナは、前記筐体の上部に設けられた衛星信号受信用アンテナである請求項１〜４の何れか一項に記載の受信装置。
【請求項６】
一方の平面アンテナの受信方向を内部に電子回路が配置された筐体の外方に、他方の平面アンテナの受信方向を前記筐体の内方に向けて、互いを背中合わせにして前記筐体の周部に配設される一対の平面アンテナ。
【請求項７】
前記一方の平面アンテナと前記他方の平面アンテナとが地板を介して背中合わせに接着されてなる請求項６に記載の一対の平面アンテナ。
【請求項８】
前記一方の平面アンテナと前記他方の平面アンテナとは同一のアンテナでなる請求項６又は７に記載の一対の平面アンテナ。
【請求項９】
前記一方の平面アンテナは、衛星信号受信用アンテナである請求項６〜８の何れか一項に記載の一対の平面アンテナ。
【請求項１０】
受信方向を互いに逆向きにして背中合わせに接着した一対の平面アンテナを、一方の平面アンテナの受信方向が内部に電子回路が配置された筐体の外方に向き、他方の平面アンテナの受信方向が前記筐体の内方に向くようにして前記筐体の周部に配設し、
前記他方の平面アンテナで受信された信号を、前記筐体内部で発生したノイズ信号とみなして、前記一方の平面アンテナで受信された信号に混入されているノイズ信号をキャンセルするノイズキャンセル信号を生成し、
前記一方の平面アンテナで受信された信号に前記生成されたノイズキャンセル信号を加算して、前記ノイズ信号をキャンセルする、
ノイズキャンセル方法。
【発明の詳細な説明】
【技術分野】
【０００１】
本発明は、受信装置、一対の平面アンテナ及びノイズキャンセル方法に関する。
【背景技術】
【０００２】
受信系統の信号にノイズが混入すると、信号処理回路の誤作動や特性劣化等の問題を引き起こす。このノイズの発生源は、受信系統の近傍に設けられたデジタル回路である場合がほとんどである。特に、受信回路とともに、他の電子回路が筐体内に収められる電子機器においては、このノイズの問題は重要である。
【０００３】
ノイズ除去に関する技術は種々開発されているが、その代表的且つ基本的な例はフィルタ回路を設ける技術である。例えば特許文献１には、電源ラインの電源電圧に重畳されたノイズを、電源とアース間に配接したローパスフィルタによって除去する技術が開示されている。
【特許文献１】特開平６−１８８７２９号公報
【発明の開示】
【発明が解決しようとする課題】
【０００４】
そこで、受信系統の近傍にノイズ源が存在するような場合にも、受信系統の信号に混入しているノイズを特許文献１に開示された技術を適用して除去することが考えられる。しかし、高周波のノイズを完全に除去するためには、容量の大きなコンデンサを用いたフィルタを構成する必要があるため、部品コストやモジュールサイズの増大の点で問題がある。例えば、４０μＦのコンデンサを基板上に形成する場合には、そのコンデンサだけで１ミリ角〜２ミリ角の回路面積が必要になる。
【０００５】
本発明は上述した課題に鑑みて為されたものであり、その目的とするところは、受信回路の回路規模を増大させることなく、受信系統の信号に混入しているノイズを適切に除去することにある。
【課題を解決するための手段】
【０００６】
以上の課題を解決するための第１の発明は、内部に電子回路が配置された筐体の周部に、受信方向を外方方向に向けて設けられた第１のアンテナと、前記第１のアンテナの背面側に、前記筐体の内方方向に受信方向を向けて設けられた第２のアンテナと、前記第２のアンテナで受信された信号を前記筐体内部で発生したノイズ信号とみなして、前記第１のアンテナで受信された信号に混入されているノイズ信号をキャンセルするノイズキャンセル信号を生成するノイズキャンセル信号生成部と、を備え、前記第１のアンテナで受信された信号に前記生成されたノイズキャンセル信号を加算して、前記ノイズ信号をキャンセルする受信装置である。
【０００７】
この第１の発明によれば、内部に電子回路が配置された筐体の周部に、受信方向を外方方向に向けて第１のアンテナが設けられている。また、第１のアンテナの背面側に、受信方向を筐体の内方方向に向けて第２のアンテナが設けられている。そして、第２のアンテナで受信されたノイズ信号をキャンセルするノイズキャンセル信号がノイズキャンセル信号生成部において生成され、第１のアンテナで受信された信号に加算されることで、第１のアンテナで受信された信号に混入されているノイズ信号がキャンセルされる。
【０００８】
第２のアンテナは、受信方向が、内部に電子回路の配置された筐体の内方方向に向けて配置されているため、当該電子回路をノイズ源とするノイズを確実に検知することができ、受信系統の信号に混入しているノイズを適切に除去することが可能となる。また、ノイズキャンセル信号生成部や、ノイズキャンセル信号を加算する加算部は、コンデンサを用いたフィルタにより同機能を構成する場合と比べて小型の回路で構成することができるため、受信回路の回路規模の増大を抑止することができる。
【０００９】
また、第２の発明として、第１の発明の受信装置における前記第２のアンテナは、前記第１のアンテナの受信帯域と同一の受信帯域の信号を受信可能な受信特性を有する受信装置を構成してもよい。
【００１０】
この第２の発明によれば、第１のアンテナで受信される信号と同一の受信帯域のノイズ信号が、第２のアンテナによって受信されることになる。
【００１１】
また、第３の発明として、第１又は第２の発明の受信装置における前記第１のアンテナと前記第２のアンテナとは、同一のアンテナでなる受信装置を構成してもよい。
【００１２】
この第３の発明によれば、筐体内外の信号が、同一のアンテナによって受信されることになる。
【００１３】
また、第４の発明として、第１〜第３の何れかの発明の受信装置における前記第１のアンテナは平面アンテナであり、面方向が前記筐体の周面に沿って配置されている受信装置を構成してもよい。
【００１４】
この第４の発明によれば、平面アンテナである第１のアンテナが筐体の周面に沿って配置されているため、筐体外部からの信号の受信を効率的に行うことが可能となる。
【００１５】
また、第５の発明として、第１〜第４の発明の受信装置における前記第１のアンテナは、前記筐体の上部に設けられた衛星信号受信用アンテナである受信装置を構成してもよい。
【００１６】
この第５の発明によれば、筐体の上部に第１のアンテナが設けられているため、衛星信号を効率的に受信することができる。
【００１７】
また、第６の発明として、一方の平面アンテナの受信方向を内部に電子回路が配置された筐体の外方に、他方の平面アンテナの受信方向を前記筐体の内方に向けて、互いを背中合わせにして前記筐体の周部に配設される一対の平面アンテナを構成してもよいし、更には、第７の発明として、前記一方の平面アンテナと前記他方の平面アンテナとが地板を介して背中合わせに接着されてなる一対の平面アンテナを構成してもよい。
【００１８】
これらの第６又は第７の発明によれば、上述した第１の発明等と同様の作用効果を奏するアンテナを実現することができる。
【００１９】
勿論、第８の発明として、第６又は第７の発明の一対の平面アンテナにおける前記一方の平面アンテナと前記他方の平面アンテナとは同一のアンテナでなる一対の平面アンテナを構成してもよいし、第９の発明として、第６〜第８の何れかの発明の一対の平面アンテナにおける前記一方の平面アンテナは、衛星信号受信用アンテナである一対の平面アンテナを構成してもよい。
【００２０】
また、第１０の発明として、受信方向を互いに逆向きにして背中合わせに接着した一対の平面アンテナを、一方の平面アンテナの受信方向が内部に電子回路が配置された筐体の外方に向き、他方の平面アンテナの受信方向が前記筐体の内方に向くようにして前記筐体の周部に配設し、前記他方の平面アンテナで受信された信号を、前記筐体内部で発生したノイズ信号とみなして、前記一方の平面アンテナで受信された信号に混入されているノイズ信号をキャンセルするノイズキャンセル信号を生成し、前記一方の平面アンテナで受信された信号に前記生成されたノイズキャンセル信号を加算して、前記ノイズ信号をキャンセルするノイズキャンセル方法を構成してもよい。
【００２１】
この第１０の発明によれば、受信方向が内部に電子回路の配置された筐体の内方に向くように配置された平面アンテナにより受信されたノイズ信号をキャンセルするノイズキャンセル信号が生成され、受信方向が筐体の外方に向くように配置された平面アンテナにより受信された信号に加算されることで、当該信号に混入されているノイズ信号がキャンセルされる。この場合も、上述した第１の発明と同様の効果が発揮される。
【発明を実施するための最良の形態】
【００２２】
以下、図面を参照して、本発明をＧＰＳ（Global Positioning System）衛星信号の受信装置を備えた電子機器の一種である携帯型ナビゲージョン装置に適用した場合の実施形態について説明する。但し、本発明を適用可能な実施形態がこれに限定されるものではない。
【００２３】
１．概略構成
図１は、本実施形態における携帯型ナビゲーション装置１の概略外観図である。以下の説明における方向は、携帯型ナビゲーション装置１を使用するユーザの視点に立った方向を指すものとし、図１に向かって手前側を前、奥側を後、図１に向かった上下左右それぞれの方向を上下左右それぞれの方向として説明する。尚、図１にその方向を図示する。
【００２４】
携帯型ナビゲーション装置１は、平面アンテナである第１のアンテナ２１及び第２のアンテナ２３が互いに指向方向を逆向きにして地板２５を挟持するようにして構成されたアンテナ部２０と、タッチパネル７１及びディスプレイ７３が一体的に構成されたタッチスクリーン７０とが筐体５に配設されて構成されている。携帯型ナビゲーション装置１は、タッチスクリーン７０がユーザ側（手前側）を向いた姿勢（以下、「立位姿勢」と称す。）で使用される携帯型のナビゲーション装置であり、筐体内部には、ＧＰＳ受信回路の他に、ディスプレイ駆動回路部６０や各種の制御回路等の電子回路が搭載されている。
【００２５】
アンテナ部２０を構成する第１のアンテナ２１は、ＧＰＳ衛星から発信されているＧＰＳ衛星信号を含むＲＦ信号を受信するためのマイクロストリップ平面アンテナであり、筐体５の周部のうち、上面５ａの直下に、受信方向を外方方向（天頂方向）に向けて筐体５内に配置されている。また、第１のアンテナ２１は、面方向が筐体５の上面５ａに沿うように配置されている。
【００２６】
尚、ＧＰＳ衛星信号は、Ｃ／Ａ（Coarse and Acquisition）コードと呼ばれるスペクトラム拡散変調された信号であり、１．５７５４２［ＧＨｚ］を搬送波周波数とするＬ１帯の搬送波に重畳されている。
【００２７】
もう一方の第２のアンテナ２３は、筐体５内部で発生したノイズ信号を受信するためのマイクロストリップ平面アンテナであり、第１のアンテナ２１の背面側に、地板２５を介して受信方向を筐体５の内方方向に向けて配置されている。第２のアンテナ２３は、第１のアンテナ２１の受信帯域（＝ＧＰＳ衛星信号の受信帯域）と同一の受信帯域の信号を受信可能な受信特性を有しており、本実施形態では第１のアンテナ２１と同一のアンテナで構成されているものとする。第２のアンテナ２３の受信特性が第１のアンテナ２１と同一であるが故に、第２のアンテナ２３は、第１のアンテナ２１で受信される信号帯域と同じ帯域の信号を受信する。
【００２８】
地板２５は、指向方向（受信方向）が互いに逆向きに配置された第１のアンテナ２１と第２のアンテナ２３間に介在するように配置された金属板であり、両アンテナのアースとして機能する。換言すると、第１のアンテナ２１と第２のアンテナ２３とは、地板２５によって互いに背中合わせに接着された、一対のマイクロストリップ平面アンテナを構成していると言える。
【００２９】
図２は、第１のアンテナ２１及び第２のアンテナ２３の指向性を説明するための図である。第１のアンテナ２１及び第２のアンテナ２３は、放射状に広がる広い指向性を有しているが、地板２５によって互いに背中合わせに接着されているため、第１のアンテナ２１の指向性は、筐体５の外方方向に対しては強く、筐体５の内方方向に対しては弱くなっている。このため、第１のアンテナ２１は、アンテナ部２０が筐体５の上部に配置されていることも相俟って、筐体５外部からの信号（＝ＧＰＳ衛星信号）を効率良く受信することができる。
【００３０】
一方、第２のアンテナ２３の指向性は、筐体５の内方方向に対しては強く、筐体５の外方方向に対しては弱くなっている。このため、第２のアンテナ２３は、筐体５内部で発生した信号（＝ノイズ信号）を効率良く受信することができる。
【００３１】
２．機能構成
図３は、携帯型ナビゲーション装置１の機能構成を示すブロック図である。携帯型ナビゲーション装置１は、ＧＰＳ受信部１０と、ホストＣＰＵ（Central Processing Unit）５０と、ディスプレイ駆動回路部６０と、タッチパネル７１及びディスプレイ７３でなるタッチスクリーン７０と、ＲＯＭ（Read Only Memory）８０と、ＲＡＭ（Random Access Memory）９０とを備えて構成される。
【００３２】
ＧＰＳ受信部１０は、ＧＰＳ衛星から受信したＧＰＳ衛星信号に基づいて携帯型ナビゲーション装置１の現在位置を測位する測位部であり、いわゆるＧＰＳ受信装置に相当する機能ブロックである。ＧＰＳ受信部１０は、第１のアンテナ２１及び第２のアンテナ２３を有して構成されるアンテナ部２０と、ＲＦ（Radio Frequency）受信回路部３０と、ベースバンド処理回路部４０とを備えて構成される。尚、ＲＦ受信回路部３０と、ベースバンド処理回路部４０とは、それぞれ別のＬＳＩ（Large Scale Integration）として製造することも、１チップとして製造することも可能である。
【００３３】
ＲＦ受信回路部３０は、高周波信号（ＲＦ信号）の受信回路ブロックであり、加算部３１と、ＳＡＷ（Surface Acoustic Wave）フィルタ３３と、ＬＮＡ（Low Noise Amplifier）３５と、ＲＦ変換回路部３７と、ノイズキャンセル信号生成部３９とを備えて構成される。
【００３４】
加算部３１は、第１のアンテナ２１で受信されたＧＰＳ衛星信号を含むＲＦ信号に、ノイズキャンセル信号生成部３９で生成されたノイズキャンセル信号を加算する加算器であり、加算結果の信号をＳＡＷフィルタ３３に出力する。
【００３５】
ＳＡＷフィルタ３３は、加算部３１から出力された信号のうち、所定の周波数帯域成分を通過させる帯域通過フィルタ（表面弾性波フィルタ）であり、通過させた信号をＬＮＡ３５に出力する。
【００３６】
ＬＮＡ３５は、ＳＡＷフィルタ３３を通過した信号を所定の増幅率で増幅するローノイズアンプであり、増幅した信号をＲＦ変換回路部３７に出力する。
【００３７】
ＲＦ変換回路部３７は、ＬＮＡ３５で増幅された信号に所定の局部発振信号を乗算することで、ＲＦ信号を中間周波数の信号（以下、「ＩＦ（Intermediate Frequency）信号」と称す。）にダウンコンバートし、ＩＦ信号を増幅等した後、Ａ／Ｄ変換器でデジタル信号に変換して、ベースバンド処理回路部４０に出力する。
【００３８】
ノイズキャンセル信号生成部３９は、第２のアンテナ２３で受信された信号をノイズ信号とみなして、当該ノイズ信号をキャンセルするノイズキャンセル信号を生成する回路部であり、生成したノイズキャンセル信号を加算部３１に出力する。
【００３９】
図４は、ノイズキャンセル信号生成部３９の回路構成の一例を示す図である。ノイズキャンセル信号生成部３９は、第２のアンテナ２３から出力されたノイズ信号の位相を１８０度移相させる移相部３９１と、移相部３９１で移相された信号を所定の減衰率で減衰させる減衰部３９３とを備えて構成される。
【００４０】
ＧＰＳ受信部１０では、ＲＦ受信回路部３０とベースバンド処理回路部４０とが互いに近接する位置に配置されるため、ベースバンド処理回路部４０から発生する不要輻射が、第１のアンテナ２１からＲＦ受信回路部３０に出力される信号に対してノイズとして混入し得る。また、ＧＰＳ受信部１０以外の電子回路（例えばディスプレイ駆動回路部６０）の回路動作に伴って発生した不要輻射等も、第１のアンテナ２１からＲＦ受信回路部３０に出力される信号に対してノイズとして混入する。
【００４１】
これらのノイズ信号は、筐体５の周部に設けられた第１のアンテナ２１の背面側に、受信方向を筐体５の内方方向に向けて設けられた第２のアンテナ２３により受信され、ノイズキャンセル信号生成部３９に出力される。すなわち、本来の信号であるＧＰＳ衛星信号を受信する第１のアンテナ２１と略同位置において、第１のアンテナ２１が受信し得るノイズ信号として、第２のアンテナ２３が受信するのである。
【００４２】
そして、ノイズキャンセル信号生成部３９において当該ノイズ信号をキャンセルするノイズキャンセル信号が生成され、加算部３１において第１のアンテナ２１から出力された信号に加算される。このため、第１のアンテナ２１で受信される本来の信号（ＧＰＳ衛星信号）に重畳しているノイズをより確実に減衰・除去することができる。
【００４３】
ベースバンド処理回路部４０は、ＲＦ受信回路部３０から出力されたＩＦ信号に対して相関処理等を行ってＧＰＳ衛星信号を捕捉・抽出し、データを復号して航法メッセージや時刻情報等を取り出して測位演算等を行う回路部である。
【００４４】
ベースバンド処理回路部４０は、相関処理を行う回路や相関処理用の拡散符号（レプリカコード）を発生させる回路、データを復号する回路の他、ベースバンド処理回路部４０乃至ＲＦ受信回路部３０の各部を統括的に制御して各種演算処理を行うプロセッサであるＣＰＵ４１と、メモリとしてのＲＯＭ４３及びＲＡＭ４５とを備えて構成される。
【００４５】
ホストＣＰＵ５０は、ＲＯＭ８０に記憶されているシステムプログラム等の各種プログラムに従って携帯型ナビゲーション装置１の各部を統括的に制御するプロセッサである。
【００４６】
ディスプレイ駆動回路部６０は、ディスプレイ７３を駆動するための駆動信号を生成し、生成した駆動信号をディスプレイ７３に出力することで、ディスプレイ７３の駆動を制御する回路部である。
【００４７】
タッチパネル７１は、感圧式や光学式、静電式、電磁誘導式等の検出原理によって、タッチ操作位置をディスプレイ７３を構成するドット単位で検出し、その検出結果をホストＣＰＵ５０に出力する。タッチパネル７１に対するユーザ操作入力により、目的地の入力等がなされる。
【００４８】
ディスプレイ７３は、ＬＣＤ（Liquid Crystal Display）等により構成され、ディスプレイ駆動回路部６０から出力された駆動信号に基づいた各種表示を行う表示装置である。ディスプレイ７３には、ナビゲーション画面が表示される。
【００４９】
ＲＯＭ８０は、ホストＣＰＵ５０が携帯型ナビゲーション装置１を制御するためのシステムプログラムや、ナビゲーション機能を実現するための各種プログラムやデータ等を記憶している。
【００５０】
ＲＡＭ９０は、ホストＣＰＵ５０により実行されるシステムプログラム、各種処理プログラム、各種処理の処理中データ、処理結果などを一時的に記憶するワークエリアを形成している。
【００５１】
３．作用効果
本実施形態によれば、立位姿勢で使用される携帯型ナビゲーション装置１において、筐体５の上部に、受信方向を外方方向に向けて第１のアンテナ２１が設けられている。また、第１のアンテナ２３の背面側に、受信方向を筐体５の内方方向に向けて第２のアンテナ２３が設けられている。そして、第２のアンテナ２３で受信されたノイズ信号をキャンセルするノイズキャンセル信号がノイズキャンセル信号生成部３９において生成され、第１のアンテナ２１で受信された信号に加算されることで、第１のアンテナ２１で受信された信号に混入されているノイズ信号がキャンセルされる。
【００５２】
第２のアンテナ２３は、受信方向を筐体５の内方方向に向けて配置されているため、筐体５内に存在するノイズ源たる電子回路から発生するノイズを確実に検知することができ、受信系統の信号に混入しているノイズを適切に除去することが可能となる。また、ノイズキャンセル信号生成部３９や、ノイズキャンセル信号を加算する加算部３１は、コンデンサを用いたフィルタにより同機能を構成する場合と比べて小型の回路で構成することができるため、受信回路の回路規模の増大を抑止することができる。
【００５３】
４．変形例
４−１．受信装置
本発明は、衛星信号を受信する受信装置の他、例えば、携帯電話用の無線信号を受信する受信装置や、無線ＬＡＮ（Local Area Network）やBluetooth（登録商標）に代表される近距離無線通信を行うための無線信号を受信する受信装置、地上波デジタル放送の受信装置等についても同様に適用可能である。
【００５４】
４−２．電子機器
また、本発明は、受信装置を備えた電子機器であれば何れの電子機器にも適用可能である。例えば、ノート型パソコンや携帯型電話機、ＰＤＡ（Personal Digital Assistant）、カーナビゲーション装置等についても同様に適用可能である。
【００５５】
４−３．アンテナ部の設置位置
上述した実施形態では、第１のアンテナ２１及び第２のアンテナ２３を有して構成されるアンテナ部２０は、筐体５の上部に内蔵されるものとして説明したが、筐体５の周部であれば他の位置でもよく、例えば筐体５の背面部や側面部に内蔵することにしてもよい。この場合、第１のアンテナ２１及び第２のアンテナ２３を、面方向が筐体５の背面や側面に沿った方向（より好適には平行）になるように配置することで、それぞれのアンテナによって筐体５内外の信号を効率良く受信することが可能となる。
【００５６】
また、アンテナ部２０を筐体５に内蔵するとして説明したが、露出させるとしてもよい。例えば、筐体５の上面５ａにアンテナ部２０を配設することとしてもよいし、筐体５の上面５ａに第１のアンテナ２１の上面部と嵌合する開口を設けて、この開口の下から、第１のアンテナ２１の上面部を露出させるように嵌合させてアンテナ部２０を配設することとしてもよい。
【００５７】
４−４．受信装置の姿勢
上述した実施形態では、本発明を立位姿勢で使用される携帯型ナビゲーション装置に適用した場合について説明したが、タッチスクリーン７０が天頂方向を向いた姿勢（以下、「横臥姿勢」と称す。）で使用される携帯型ナビゲーション装置についても同様に適用可能である。
【００５８】
図５は、横臥姿勢で使用される携帯型ナビゲーション装置２の概略外観図である。
携帯型ナビゲーション装置２の構成は、携帯型ナビゲーション装置１の構成と略同一であるが、アンテナ部２０の配置が異なっている。すなわち、携帯型ナビゲーション装置２は、タッチスクリーン７０を天頂方向に向けた横臥姿勢で使用されるため、筐体５の上面５ｂは、タッチスクリーン７０の表面に平行な面となる。
【００５９】
これにより、アンテナ部２０は、筐体５の上面５ｂの直下に配置されるため、図１と異なる位置に配置されている。尚、図５においては、上面５ｂのうちのタッチスクリーン７０の奥方にアンテナ部２０を配置することとしたが、タッチスクリーン７０の左方、右方或いは手前方に配置することとしてもよい。
【００６０】
４−５．地板
上述した実施形態では、第１のアンテナ２１及び第２のアンテナ２３は、地板２５を介して背中合わせに接着されているものとして説明したが、地板を介さずに、直接背中合わせに接着することにしてもよい。
【００６１】
４−６．ノイズキャンセル信号生成部
上述した実施形態では、ノイズキャンセル信号生成部３９がＲＦ受信回路部３０に組み込まれているものとして説明したが、ノイズキャンセル信号生成部３９をＲＦ受信回路部３０から独立した回路部としてもよい。
【図面の簡単な説明】
【００６２】
【図１】立位姿勢で使用される携帯型ナビゲーション装置の概略外観図。
【図２】アンテナの指向性の説明図。
【図３】携帯型ナビゲーション装置の機能構成を示すブロック図。
【図４】ノイズキャンセル信号生成部の回路構成例を示す図。
【図５】横臥姿勢で使用される携帯型ナビゲーション装置の概略外観図。
【符号の説明】
【００６３】
１  携帯型ナビゲーション装置、  ５  筐体、  １０  ＧＰＳ受信部、
２０  アンテナ部、  ２１  第１のアンテナ、  ２３  第２のアンテナ、  ２５  地板、
３０  ＲＦ受信回路部、  ３１  加算部、  ３３  ＳＡＷフィルタ、  ３５  ＬＮＡ、
３７  ＲＦ変換回路部、  ３９  ノイズキャンセル信号生成部、  
４０  ベースバンド処理回路部、  ４１  ＣＰＵ、  ４３  ＲＯＭ、  ４５  ＲＡＭ、
５０  ホストＣＰＵ、  ６０  ディスプレイ駆動回路部、  ７０  タッチスクリーン、
７１  タッチパネル、  ７３  ディスプレイ、  ８０  ＲＯＭ、  ９０  ＲＡＭ
【図１】
2009094670.tif 000003
【図２】
2009094670.tif 000004
【図３】
2009094670.tif 000005
【図４】
2009094670.tif 000006
【図５】
2009094670.tif 000007